(57)【要約】【課題】信頼性の高い安定した評価結果を得ることができる香りの評価方法および評価装置を提供する。【解決手段】本発明の香りの評価方法の一態様によると、被験者が第１の評価対象物の第１の香りを嗅いでＮ段階で評価した第１の評価結果を取得し、その後に、同じ被験者が第１の香りと異なる少なくとも１つの第２の評価対象物それぞれの第２の香りを嗅いでＮ段階で評価した少なくとも１つの第２の評価結果を取得し、さらにその後に、同じ被験者が第１の香りと同じ香りであることを知らされずに第１の香りと同じ第３の評価対象物の香りを嗅いでＮ段階で評価した第３の評価結果を取得し、評価の基準となるしきい値をＴｔｈとし、第１および第３の評価結果が不等式（｜第３の評価結果−第１の評価結果｜／Ｎ＜Ｔｔｈ）を満たす場合に、少なくとも１つの第２の評価結果を少なくとも１つの第２の評価対象物それぞれの第２の香りの評価と判定する。【選択図】図２
2020176897.tif 000002
【特許請求の範囲】
【請求項１】
被験者が第１の評価対象物の第１の香りを嗅いでＮ段階で評価した第１の評価結果を取得し、
その後に、同じ被験者が前記第１の香りと異なる少なくとも１つの第２の評価対象物それぞれの第２の香りを嗅いで前記Ｎ段階で評価した少なくとも１つの第２の評価結果を取得し、
さらにその後に、同じ被験者が前記第１の香りと同じ香りであることを知らされずに前記第１の香りと同じ第３の評価対象物の香りを嗅いで前記Ｎ段階で評価した第３の評価結果を取得し、
評価の基準となるしきい値をＴｔｈとし、前記第１および第３の評価結果が下の不等式を満たす場合に、前記少なくとも１つの第２の評価結果を前記少なくとも１つの第２の評価対象物それぞれの前記第２の香りの評価と判定する、
｜第３の評価結果−第１の評価結果｜／Ｎ＜Ｔｔｈ
香りの評価方法。
【請求項２】
他の被験者を含む複数の被験者による評価に基づいて請求項１の評価方法により前記少なくとも１つの第２の香りの評価と判定した前記少なくとも１つの第２の評価結果それぞれの代表値を算出して、この代表値を前記少なくとも１つの第２の香りそれぞれの評価とする評価方法。
【請求項３】
前記少なくとも１つの第２の香りは、複数の互いに異なる香りを含み、前記少なくとも１つの第２の評価結果は、前記複数の互いに異なる香りそれぞれを評価した複数の評価結果を含む、
請求項１の評価方法。
【請求項４】
被験者がする香りの評価は、香りの嗜好性に関する評価を含む、
請求項１乃至請求項３のいずれか１項に記載した評価方法。
【請求項５】
被験者がする香りの評価は、香りの強度に関する評価を含む、
請求項１乃至請求項４のいずれか１項に記載した評価方法。
【請求項６】
被験者が第１の評価対象物の第１の香りを嗅いでＮ段階で評価した第１の評価結果を取得し、
その後に、同じ被験者が前記第１の香りと異なる少なくとも１つの第２の評価対象物それぞれの第２の香りを嗅いで前記Ｎ段階で評価した少なくとも１つの第２の評価結果を取得し、
さらにその後に、同じ被験者が前記第１の香りと同じ香りであることを知らされずに前記第１の香りと同じ第３の評価対象物の香りを嗅いで前記Ｎ段階で評価した第３の評価結果を取得し、
評価の基準となるしきい値をＴｔｈとし、前記第１および第３の評価結果が下の不等式を満たす場合に、前記少なくとも１つの第２の評価結果を前記少なくとも１つの第２の評価対象物それぞれの前記第２の香りの評価と判定するとともに、前記第１の評価結果を前記第１の香りの評価と判定する、
｜第３の評価結果−第１の評価結果｜／Ｎ＜Ｔｔｈ
香りの評価方法。
【請求項７】
被験者が第１の評価対象物の第１の香りを嗅いでＮ段階で評価した第１の評価結果、同じ被験者が前記第１の香りを嗅いだ後に前記第１の香りと異なる少なくとも１つの第２の評価対象物ぞれぞれの第２の香りを嗅いで前記Ｎ段階で評価した少なくとも１つの第２の評価結果、および同じ被験者が前記少なくとも１つの第２の香りを嗅いだ後に前記第１の香りと同じ香りであることを知らされずに前記第１の香りと同じ第３の評価対象物の香りを嗅いで前記Ｎ段階で評価した第３の評価結果を記録する記録手段と、
評価の基準となるしきい値をＴｔｈとし、前記記録手段に記録した前記第１および第３の評価結果が下の不等式を満たす場合に、前記記録手段に記録した前記少なくとも１つの第２の評価結果を前記少なくとも１つの第２の評価対象物それぞれの前記第２の香りの評価と判定する判定手段と、
｜第３の評価結果−第１の評価結果｜／Ｎ＜Ｔｔｈ
を有する香りの評価装置。
【請求項８】
他の被験者を含む複数の被験者が評価して前記記録手段に記録した前記第１乃至第３の評価結果に基づいて前記少なくとも１つの第２の香りそれぞれの評価と判定した前記少なくとも１つの第２の評価結果それぞれの代表値を算出して、この代表値を前記少なくとも１つの第２の香りそれぞれの評価として出力する演算手段をさらに有する、
請求項７の評価装置。
【請求項９】
前記少なくとも１つの第２の香りは、複数の互いに異なる香りを含み、
前記記録手段は、被験者が前記複数の互いに異なる香りをそれぞれ嗅いで評価した複数の評価結果を前記少なくとも１つの第２の評価結果として記録し、
前記判定手段は、前記記録手段に記録した前記第１および第３の評価結果が前記不等式を満たす場合に、前記記録手段に記録した前記少なくとも１つの第２の評価結果を前記複数の互いに異なる香りそれぞれの評価と判定する、
請求項７の評価装置。
【請求項１０】
前記記録手段が記録する前記第１乃至第３の評価結果は、香りの嗜好性に関する評価を含む、
請求項７乃至請求項９のいずれか１項に記載した評価装置。
【請求項１１】
前記記録手段が記録する前記第１乃至第３の評価結果は、香りの強度に関する評価を含む、
請求項７乃至請求項１０のいずれか１項に記載した評価装置。
【請求項１２】
被験者が第１の評価対象物の第１の香りを嗅いでＮ段階で評価した第１の評価結果、同じ被験者が前記第１の香りを嗅いだ後に前記第１の香りと異なる少なくとも１つの第２の評価対象物それぞれの第２の香りを嗅いで前記Ｎ段階で評価した少なくとも１つの第２の評価結果、および同じ被験者が前記少なくとも１つの第２の香りを嗅いだ後に前記第１の香りと同じ香りであることを知らされずに前記第１の香りと同じ第３の評価対象物の香りを嗅いで前記Ｎ段階で評価した第３の評価結果を記録する記録手段と、
評価の基準となるしきい値をＴｔｈとし、前記記録手段に記録した前記第１および第３の評価結果が下の不等式を満たす場合に、前記記録手段に記録した前記少なくとも１つの第２の評価結果を前記少なくとも１つの第２の評価対象物それぞれの前記第２の香りの評価と判定するとともに、前記記録手段に記録した前記第１の評価結果を前記第１の香りの評価と判定する判定手段と、
｜第３の評価結果−第１の評価結果｜／Ｎ＜Ｔｔｈ
を有する香りの評価装置。
【発明の詳細な説明】
【技術分野】
【０００１】
本発明は、例えば、香りの嗜好性や強度を評価する評価方法および評価装置に関する。
【背景技術】
【０００２】
例えば、香りの嗜好性を評価する方法として、評価対象となる香りを被験者に複数回嗅がせてその都度嗜好性を評価させ、評価が上がった香りを嗜好性の高い香りと判定する方法が知られている。
【先行技術文献】
【特許文献】
【０００３】
【特許文献１】特開２００７−６３２５１号公報
【特許文献２】特開２０１６−２０５８１９号公報
【発明の概要】
【発明が解決しようとする課題】
【０００４】
しかし、上述した従来の評価方法によると、被験者は、複数回同じ香りを嗅ぐことで嗅覚が鈍くなり、正常な評価が難しくなる場合がある。この場合、当然のことながら、評価結果の信頼性も低いものとなる。また、人間の嗅覚は、温度や湿度、時間帯や空腹度合い、または健康状態などによって、変化することが知られている。つまり、香りの嗜好性評価は、試験環境に左右され易く、安定した評価結果を得ることが難しい。
【０００５】
本発明は、上記の点に鑑みてなされたもので、信頼性の高い安定した評価結果を得ることができる香りの評価方法および評価装置を提供することを目的とする。
【課題を解決するための手段】
【０００６】
本発明の香りの評価方法の一態様によると、被験者が第１の評価対象物の第１の香りを嗅いでＮ段階（Ｎは任意の整数）で評価した第１の評価結果を取得し、その後に、同じ被験者が第１の香りと異なる少なくとも１つの第２の評価対象物それぞれの第２の香りを嗅いでＮ段階で評価した少なくとも１つの第２の評価結果を取得し、さらにその後に、同じ被験者が第１の香りと同じ香りであることを知らされずに第１の香りと同じ第３の評価対象物の香りを嗅いでＮ段階で評価した第３の評価結果を取得し、評価の基準となるしきい値をＴｔｈとし、第１および第３の評価結果が下の不等式を満たす場合に、少なくとも１つの第２の評価結果を少なくとも１つの第２の評価対象物それぞれの第２の香りの評価と判定する。  
｜第３の評価結果−第１の評価結果｜／Ｎ＜Ｔｔｈ
【０００７】
また、本発明の香りの評価方法の一態様によると、被験者が第１の評価対象物の第１の香りを嗅いでＮ段階で評価した第１の評価結果を取得し、その後に、同じ被験者が第１の香りと異なる少なくとも１つの第２の評価対象物それぞれの第２の香りを嗅いでＮ段階で評価した少なくとも１つの第２の評価結果を取得し、さらにその後に、同じ被験者が第１の香りと同じ香りであることを知らされずに第１の香りと同じ第３の評価対象物の香りを嗅いでＮ段階で評価した第３の評価結果を取得し、評価の基準となるしきい値をＴｔｈとし、第１および第３の評価結果が下の不等式を満たす場合に、少なくとも１つの第２の評価結果を少なくとも１つの第２の評価対象物それぞれの第２の香りの評価と判定するとともに、第１の評価結果を第１の香りの評価と判定する。  
｜第３の評価結果−第１の評価結果｜／Ｎ＜Ｔｔｈ
【０００８】
また、本発明の香りの評価装置の一態様は、被験者が第１の評価対象物の第１の香りを嗅いでＮ段階で評価した第１の評価結果、同じ被験者が第１の香りを嗅いだ後に第１の香りと異なる少なくとも１つの第２の評価対象物ぞれぞれの第２の香りを嗅いでＮ段階で評価した少なくとも１つの第２の評価結果、および同じ被験者が少なくとも１つの第２の香りを嗅いだ後に第１の香りと同じ香りであることを知らされずに第１の香りと同じ第３の評価対象物の香りを嗅いでＮ段階で評価した第３の評価結果を記録する記録手段と、評価の基準となるしきい値をＴｔｈとし、記録手段に記録した第１および第３の評価結果が下の不等式を満たす場合に、記録手段に記録した少なくとも１つの第２の評価結果を少なくとも１つの第２の評価対象物それぞれの第２の香りの評価と判定する判定手段と、を有する。  
｜第３の評価結果−第１の評価結果｜／Ｎ＜Ｔｔｈ
【０００９】
さらに、本発明の香りの評価装置の一態様は、被験者が第１の評価対象物の第１の香りを嗅いでＮ段階で評価した第１の評価結果、同じ被験者が第１の香りを嗅いだ後に第１の香りと異なる少なくとも１つの第２の評価対象物それぞれの第２の香りを嗅いでＮ段階で評価した少なくとも１つの第２の評価結果、および同じ被験者が少なくとも１つの第２の香りを嗅いだ後に第１の香りと同じ香りであることを知らされずに第１の香りと同じ第３の評価対象物の香りを嗅いでＮ段階で評価した第３の評価結果を記録する記録手段と、評価の基準となるしきい値をＴｔｈとし、記録手段に記録した第１および第３の評価結果が下の不等式を満たす場合に、記録手段に記録した少なくとも１つの第２の評価結果を少なくとも１つの第２の評価対象物それぞれの第２の香りの評価と判定するとともに、記録手段に記録した第１の評価結果を第１の香りの評価と判定する判定手段と、を有する。  
｜第３の評価結果−第１の評価結果｜／Ｎ＜Ｔｔｈ
【発明の効果】
【００１０】
本発明の一態様によれば、信頼性の高い安定した香りの評価結果を得ることができる。
【図面の簡単な説明】
【００１１】
【図１】図１は、実施形態に係る香りの評価方法および評価装置において使用する記録用紙の一例を示す図である。
【図２】図２は、実施形態に係る評価装置を示すブロック図である。
【図３】図３は、図２の記録部のデータ領域の一例を示す図である。
【発明を実施するための形態】
【００１２】
以下、本発明の実施形態に係る香りの評価方法および評価装置について説明する。  
評価対象となる香りは、例えば、芳香剤などの香りを含む。評価対象物は、液体、ゲル、個体、気体などいかなる形態のものであってもよい。また、評価対象物は、実際の香り製品そのものであってもよく、香料または香料の単品原料であってもよい。香りの評価は、基本的には、被験者が実際に評価対象物の香りを嗅いで点数を付けて段階的に評価する。例えば、香りを７段階で評価する場合、評価値が４ではなく５に近いと感じた被験者は評価値を５と判断し、評価値が６ではなく５に近いと感じた被験者は評価値を５と判断する。つまり、被験者が段階的に評価する評価値には、ある程度の幅があり、評価値が５である場合には４．９や５．１などを含んでいることになる。なお、本実施形態に係る香りの評価方法および評価装置は、悪臭の確認試験に利用することもできる。
【００１３】
被験者が香りを嗅ぐ方法として、例えば、試験紙などの媒体に評価対象物を付着させて間接的に嗅いだり、容器に評価対象物を入れて直接嗅いだり、密閉空間に評価対象物を入れて一定時間経過後に空間に漂う香りを嗅いだりする方法がある。香りを嗅ぐ方法は、いかなる方法であってもよく、ここに記載した方法に限定されるものではない。
【００１４】
香りの評価は、例えば、香りの嗜好性に関する評価を含む。香りの嗜好性とは、人それぞれに異なる香りの好みを表す指標であり、嗜好性に関する評価は、例えば、芳香消臭脱臭剤協議会の自主基準にある九段階快・不快度表示法に従い九段階（極端に快、非常に快、快、やや快、快でも不快でもない、やや不快、不快、非常に不快、極端に不快）で評価することができる。
【００１５】
また、香りの評価は、例えば、香りの強度に関する評価を含んでもよい。香りの強度とは、香りの濃さを表す指標であり、強度に関する評価は、例えば、芳香消臭脱臭剤協議会の自主基準にある六段階臭気強度表示法に従い六段階（強烈なにおい、強いにおい、楽に感知できるにおい、何のにおいであるかがわかる弱いにおい、やっと感知できるにおい、無臭）で評価することができる。
【００１６】
なお、評価対象となる香りの種類、評価対象物の形態、香りの何を評価するのか、香りを嗅ぐ方法、香りの評価方法や評価装置などは、本実施形態で記載した例に限定されるものではなく、発明の範囲を超えることなく、任意に変更および選択が可能なものである。
【００１７】
本実施形態の評価方法により評価対象物の香りを評価する場合、評価対象となる１つの評価対象物だけを用意するのではなく、互いに香りの異なる複数種類の評価対象物を用意する。つまり、本実施形態によると、香りの異なる複数の評価対象物の香りを同時に評価することができる。このため、本実施形態では、同じ香り（第１の香り）の評価対象物を２つ用意し、それとは異なる香り（第２の香り）の評価対象物を少なくとも１つ用意する。異なる香りの評価対象物を２つ以上用意する場合、これら２つ以上の評価対象物は互いに異なる香りの評価対象物とする。
【００１８】
被験者が１回の試験で実際に香りを嗅いで評価する評価対象物の数は、５つ（４種類）程度が好ましく、評価対象物の数が７つ（６種類）を超えると嗅覚が鈍って、評価の信頼度が低下する傾向が見られる。よって、本実施形態では、５つ（４種類）の評価対象物の香りを評価する場合について説明するが、評価対象物の数は３つ以上（２種類以上）であればよく、任意に設定可能である。
【００１９】
また、本実施形態の評価方法によると、香りを評価する被験者は、複数人、理想的には１０人以上であることが望ましい。可能な限り全ての被験者が同じ条件で互いに香りの異なる複数の評価対象物の香りを評価できるように、全ての被験者が評価できる量の同じ香りの評価対象物を２つと、この評価対象物と異なる香りの少なくとも１つの評価対象物を用意する。
【００２０】
例えば、互いに香りの異なる４種類の評価対象物Ａ、Ｂ、Ｃ、Ｄを用意し、評価対象物Ａ（第１の評価対象物）と同じ香り（第１の香り）の評価対象物Ｅ（第３の評価対象物）を用意する。全ての評価対象物Ａ〜Ｅは、被験者にとって同じ見た目となる外観であることが好ましい。なお、この場合、同じ香りの評価対象物はＡとＥであり、それとは異なる香りの評価対象物（第２の評価対象物）がＢ、Ｃ、Ｄとなる。しかし、被験者には、評価対象物Ａと評価対象物Ｅが同じ香りであることを知らせない。そして、全ての被験者に、評価対象物Ａ、Ｂ、Ｃ、Ｄの香りをこの順番で嗅がせて、最後に評価対象物Ｅの香りを嗅がせる。
【００２１】
各被験者は、全ての評価対象物Ａ〜Ｅの香りを評価してその結果を所定の記録用紙に記録する。このとき、例えば、図１に例示した記録用紙を使用する。この記録用紙を使用する場合、香りの嗜好性を九段階（極端に快、非常に快、快、やや快、快でも不快でもない、やや不快、不快、非常に不快、極端に不快）で評価して、香りの強度を六段階（強烈なにおい、強いにおい、楽に感知できるにおい、何のにおいであるかがわかる弱いにおい、やっと感知できるにおい、無臭）で評価する。つまり、各被験者は、全ての評価対象物Ａ〜Ｅの香りをこの順番で嗅いで、記録用紙の該当する部分に記入することで評価を行う。
【００２２】
各被験者が評価を記入した記録用紙は、オペレータが回収する。オペレータは、各被験者から回収した記録用紙に記録されている情報をパーソナルコンピュータなどの評価装置へ入力する。このとき、嗜好性の評価が「極端に快」であった場合の点数を“９”とし、「非常に快」であった場合の点数を“８”とし、「快」であった場合の点数を“７”とし、「やや快」であった場合の点数を“６”とし、「快でも不快でもない」であった場合の点数を“５”とし、「やや不快」であった場合の点数を“４”とし、「不快」であった場合の点数を“３”とし、「非常に不快」であった場合の点数を“２”とし、「極端に不快」であった場合の点数を“１”とし、記録用紙に記入されている評価に相当する点数を各評価対象物の嗜好性の評価値として入力する。
【００２３】
また、このとき、強度の評価が「強烈なにおい」であった場合の点数を“５”とし、「強いにおい」であった場合の点数を“４”とし、「楽に感知できるにおい」であった場合の点数を“３”とし、「何のにおいであるかがわかる弱いにおい」であった場合の点数を“２”とし、「やっと感知できるにおい」であった場合の点数を“１”とし、「無臭」であった場合の点数を“０”とし、記録用紙に記入されている評価に相当する点数を各評価対象物の強度の評価値として評価装置へ入力する。
【００２４】
図２は、本実施形態に係る評価装置１０の構成を示すブロック図である。評価装置１０は、オペレータによる評価値（点数）の入力を受け付ける入力部２、入力部２を介して入力された香りの嗜好性および強度に関する評価値を所定のデータ領域で記録する記録部４（記録手段）、および記録部４から読み出した評価値に基づいて評価対象物Ａ〜Ｅの香りの評価結果の信頼度を判定する判定部６（判定手段）を有する。また、評価装置１０は、判定部６にて信頼度が高い評価値であることを判定した評価結果だけを集計してその代表値を算出する演算部８（演算手段）を有する。ここで言う代表値は、平均値、中央値、および最頻値を含む。
【００２５】
図３は、記録部４のデータ領域の一例を示す図である。記録部４では、例えば、評価対象物Ａ〜Ｅの香りの嗜好性に関する評価値を被験者ごとに記録する。また、記録部４では、評価対象物Ａ〜Ｅの香りの強度に関する評価値も同様に被験者ごとに記録する。図３に例示したデータ領域では、１６人の被験者Ｐ１〜Ｐ１６による香りの嗜好性および強度に関する評価値を記録部４にて記録することができる。
【００２６】
入力部２は、例えば、パーソナルコンピュータのキーボードであり、評価対象物Ａ〜Ｅの嗜好性および強度を被験者ごとに評価値で入力する。記録部４は、図３に例示したように、被験者ごとに用意した所定のデータ領域を有し、入力部２を介してオペレータにより入力された被験者ごとの評価対象物Ａ〜Ｅの評価値を記録する。判定部６は、記録部４の所定のデータ領域から香りの嗜好性および強度に関する評価値を読み出して、以下の手順で評価対象物Ａ〜Ｅの香りの評価結果の信頼度を判定する。香りの嗜好性に関する評価の信頼度と香りの強度に関する評価の信頼度は同様に判定することができる。よって、ここでは、香りの嗜好性に関する評価の信頼度を判定する方法について説明し、香りの強度に関する評価の信頼度を判定する方法の説明を省略する。
【００２７】
判定部６は、まず、評価対象物Ａの香りの嗜好性に関する評価値と評価対象物Ｅの香りの嗜好性に関する評価値を被験者Ｐ１〜Ｐ１６ごとに記録部４の所定のデータ領域から読み出して下記の不等式を満たすか否かを判定する。不等式のＮは評価の段階数であり２以上の正の整数であり、Ｔｔｈは、評価の基準となるしきい値である。Ｔｔｈについては後で詳述する。
｜第３の評価結果−第１の評価結果｜／Ｎ＜Ｔｔｈ
【００２８】
このとき、判定部６は、評価対象物ＡおよびＥに対して上記の不等式を満たす評価をした被験者を信頼度の高い被験者であると判定（判定〇）する。この場合、当該被験者が評価した全ての評価対象物Ａ〜Ｅに対する評価は、信頼度が高い評価と判定されて評価結果として採用される。一方、判定部６は、評価対象物ＡおよびＥに対して上記の不等式を満たさない評価をした被験者を評価の信頼度が低い被験者であると判定（判定×）する。この場合、当該被験者が評価した評価結果は、信頼度が低い評価とされて不採用となる。
【００２９】
つまり、判定部６は、第１に、評価対象物ＡおよびＥに対して上記の不等式を満たす評価をした被験者が評価した他の評価対象物Ｂ、Ｃ、Ｄの評価値を信頼度が高いものであると判定する。この場合、評価装置１０は、当該被験者が評価対象物Ｂ、Ｃ、Ｄの香りの嗜好性を評価した評価値を評価対象物Ｂ、Ｃ、Ｄの香りの嗜好性の評価として出力することができる。
【００３０】
第２に、判定部６は、当該被験者が評価対象物ＡおよびＥに対して上記の不等式を満たす評価をした場合、当該被験者にとって評価対象物Ａの香りは安定した嗜好性の評価が得られる香りであるものと判定（判定〇）する。この場合、評価装置１０は、当該被験者が評価対象物Ａを評価した嗜好性の評価値を、評価対象物Ａの香りの嗜好性の評価として出力することができる。以上のように、判定部６は、４つの評価対象物Ａ、Ｂ、Ｃ、Ｄの香りの嗜好性の評価値の信頼度を判定することができる。
【００３１】
演算部８は、判定部６にて信頼度が高い評価であると判定した評価値（判定〇）だけを集計して、その代表値（平均値、中央値、最頻値など）を算出する。例えば、評価対象物Ｂ、Ｃ、Ｄの香りの嗜好性に関する評価の平均値を算出する場合、演算部８は、判定部６にて評価の信頼度が高いと判定した評価対象物Ｂ、Ｃ、Ｄの香りの嗜好性に関する評価値をそれぞれ評価対象物ごとに合計し、信頼度が高いと判定された被験者の人数でそれぞれの合計値を割る。また、評価対象物Ｂ、Ｃ、Ｄの香りの嗜好性に関する評価の中央値を算出する場合、演算部８は、信頼度が高い被験者による評価対象物Ｂ、Ｃ、Ｄの香りの嗜好性に関する評価値を評価対象物ごとに数値の大きさ順に一列に並べてその中央の値を中央値として出力する。また、評価対象物Ｂ、Ｃ、Ｄの香りの嗜好性に関する評価の最頻値を算出する場合、演算部８は、信頼度が高い被験者による評価対象物Ｂ、Ｃ、Ｄの香りの嗜好性に関する評価値のうち最も評価回数が多い（頻度の高い）評価値を評価対象物ごとの最頻値として出力する。
【００３２】
また、演算部８は、評価対象物Ａの香りの嗜好性に関する評価の平均値を算出する場合、まず、判定部６にて評価の信頼度が高いと判定した評価対象物Ａの香りの嗜好性に関する評価値を合計して、信頼度が高いと判定された被験者の人数で割る。また、このとき、演算部８は、判定部６にて評価の信頼度が高いと判定した評価対象物Ｅの香りの嗜好性に関する評価値を合計して、信頼度が高いと判定された被験者の人数で割る。そして、演算部８は、これら２つの平均値の平均を評価対象物Ａの香りの嗜好性に関する評価の平均値として出力する。
【００３３】
また、評価対象物Ａの香りの嗜好性に関する評価の中央値を算出する場合、演算部８は、まず、信頼度が高い被験者による評価対象物Ａの香りの嗜好性に関する評価値を評価対象物ごとに数値の大きさ順に一列に並べてその中央の値を取得する。また、このとき、演算部８は、信頼度が高い被験者による評価対象物Ｅの香りの嗜好性に関する評価値を評価対象物ごとに数値の大きさ順に一列に並べてその中央の値を取得する。そして、演算部８は、これら２つの中央値の平均を評価対象物Ａの香りの嗜好性に関する評価の中央値として出力する。
【００３４】
また、評価対象物Ａの香りの嗜好性に関する評価の最頻値を算出する場合、演算部８は、まず、信頼度が高い被験者による評価対象物Ａの香りの嗜好性に関する評価値のうち最も評価回数が多い（頻度の高い）評価値を取得する。また、このとき、演算部８は、信頼度が高い被験者による評価対象物Ｅの香りの嗜好性に関する評価値のうち最も評価回数が多い（頻度の高い）評価値を取得する。そして、演算部８は、これら２つの最頻値の平均を評価対象物Ａの香りの嗜好性に関する評価の最頻値として出力する。
【００３５】
（実施例）
以下、５つ（４種類）の評価対象物Ａ〜Ｅの香りの嗜好性を評価する方法の一実施例について説明する。  
本実施例では、評価対象物Ａと評価対象物Ｅの香りをせっけんの香りとし、評価対象物Ｂの香りをローズの香りとし、評価対象物Ｃの香りをフルーツの香りとし、評価対象物Ｄの香りをフローラルの香りとした。また、本実施例では、被験者の人数を１６人（Ｐ１〜Ｐ１６）とし、各被験者が５つの評価対象物Ａ〜Ｅをこの順番で嗅いだときの香りの嗜好性を７段階で評価した。このため、本実施例では、図１の記録用紙に類似した嗜好の評価を７段階にした記録用紙（図示省略）を各被験者に渡して評価試験を実施した。また、この評価試験では、同じ１６人の被験者が試験のタイミング（日にちや時間帯）を合わせて同じ評価対象物Ａ〜Ｅの香りの嗜好性を４回ずつ評価した。その評価結果を表１〜表４に示す。表１は１回目の評価結果を示し、表２は２回目の評価結果を示し、表３は３回目の評価結果を示し、表４は４回目の評価結果を示す。各表は、評価装置１０の記録部４のデータ領域を示す。また、表５には、１〜４回の評価結果を集計してまとめた。
【００３６】
ここでは、評価対象物Ａ〜Ｅの香りの嗜好性を評価する方法について説明するため、各表では香りの強度に関する評価値を表示していない。また、ここでは、各被験者による評価の信頼度を各回の評価試験ごとに判定する方法について説明するとともに、信頼度の高い評価値の平均値を出力する方法について説明し、中央値や最頻値を算出する方法の説明は省略する。
【００３７】
まず、表１に示す１回目の評価結果に基づいて、１回目の評価試験における各被験者Ｐ１〜Ｐ１６の評価の信頼度を判定する。本実施例では、下記の不等式を評価に用いるとともに、下記の不等式のしきい値Ｔｔｈを０．１に設定した。
｜第３の評価結果−第１の評価結果｜／Ｎ＜Ｔｔｈ（＝０．１）  
しきい値Ｔｔｈは、最大で（Ｎ−１）／Ｎであり、１未満である。本実施例における評価試験のように香りの評価試験に適当なしきい値Ｔｔｈは、経験上好ましくは０．２未満と考えられる。仮に、しきい値Ｔｔｈを０．２以上に設定すると、５段階評価で第３の評価結果と第１の評価結果との差が１である場合、上記の不等式を満たさないことになり、香りの評価試験における評価の信頼度としては不十分であると考えられる。
【００３８】
【表１】
2020176897.tif 000003
【００３９】
例えば、被験者Ｐ１は、最初に嗅いだ評価対象物Ａの香り（第１の香り）の嗜好性に関する評価値（第１の評価結果）が５であるのに対し、最後に嗅いだ評価対象物Ｅの香り（第１の香り）の嗜好性に関する評価値（第３の評価結果）が４であり、同じ香りを嗅いでいるにもかかわらず嗜好性に関する評価値が低くなっている。この場合、上述の不等式を満たさないため、当該被験者Ｐ１は、１回目の評価試験における評価の信頼度が低い被験者と判定（判定×）され、１回目の全ての評価対象物Ａ〜Ｅに対する評価値が信頼性の低いものとみなされて不採用となる。
【００４０】
被験者Ｐ２、Ｐ５〜Ｐ７、Ｐ１１〜Ｐ１６による評価結果についても、同様に、上述の不等式を満たさないため、評価値の信頼度が低いものと判定されて不採用（判定×）となる。
【００４１】
一方、例えば、被験者Ｐ３は、最初に嗅いだ評価対象物Ａの香りの嗜好性に関する評価値が４であり、最後に嗅いだ評価対象物Ｅの香りの嗜好性に関する評価値も４であるため、同じ香りである評価対象物Ａと評価対象物Ｅの嗜好性に関する評価が同じになっている。この場合、上述の不等式を満たすため、当該被験者Ｐ３は、１回目の評価試験における評価の信頼度が高い被験者と判定（判定〇）され、１回目の評価試験における全ての評価対象物Ａ〜Ｅに対する評価値が信頼度の高いものとみなされて採用される。
【００４２】
被験者Ｐ４、Ｐ８〜Ｐ１０による評価結果についても、同様に、上述の不等式を満たすため、評価値の信頼度が高いものと判定されて採用（判定〇）される。
【００４３】
つまり、１回目の評価試験において、評価対象物Ｅの香りの嗜好性に関する評価値が評価対象物Ａの香りの嗜好性に関する評価値と同じである被験者（Ｐ３、Ｐ４、Ｐ８、Ｐ９、Ｐ１０）は、これらの評価値を代入した上述の不等式を満たす被験者であるため、評価の信頼度の高い被験者とみなされ、当該被験者による嗜好性の評価値が採用される。
【００４４】
或いは、１回目の評価試験において、評価対象物Ｅの香りの嗜好性に関する評価値と評価対象物Ａの香りの嗜好性に関する評価値との差が１であった被験者Ｐ１、Ｐ５〜Ｐ７、Ｐ１１、Ｐ１３〜Ｐ１６については、不等式のＴｔｈの値に応じてその評価の信頼度を判定するようにしてもよい。例えば、Ｔｔｈを予め０．２に設定すれば、被験者Ｐ１、Ｐ５〜Ｐ７、Ｐ１１、Ｐ１３〜Ｐ１６による評価結果は、｜第３の評価結果−第１の評価結果｜／Ｎ＝１／７＝０．１４で不等式を満たすことになり、被験者Ｐ１、Ｐ５〜Ｐ７、Ｐ１１、Ｐ１３〜Ｐ１６は、１回目の評価試験における評価の信頼度が高い被験者と判定（判定〇）され、１回目の評価試験における全ての評価対象物Ａ〜Ｅに対する評価値が信頼性の高いものとみなされて採用される。
【００４５】
このように、上述した不等式のＴｔｈを評価試験毎に適当な値に設定することで、評価の基準となるしきい値を変更することができ、当該評価試験において許容する評価のぶれ（第１の評価結果に対する第３の評価結果の差分）を所望する値に設定することができる。なお、本実施形態においては、Ｔｔｈを０．１に設定したため、被験者Ｐ１、Ｐ５〜Ｐ７、Ｐ１１、Ｐ１３〜Ｐ１６による評価は全て不採用となった。
【００４６】
評価のぶれの許容範囲は、不等式を構成する評価段階の数（Ｎ）にも依存する。例えば、１０段階評価（Ｎ＝１０）においてＴｔｈを０．１に設定した場合、評価対象物Ｅに対する評価値が評価対象物Ａに対する評価値より“１”だけ大きい評価では、不等式は成り立たなくなり、当該評価結果は不採用となる。これに対し、１１段階評価（Ｎ＝１１）においてＴｔｈを同じ値（０．１）に設定した場合、評価対象物Ｅに対する評価値が評価対象物Ａに対する評価値より“１”だけ大きい評価は、不等式が成り立つことになり、当該評価結果が採用となる。
【００４７】
評価試験を実施する実施者は、評価段階Ｎを所望する値に設定してＴｔｈを適切な値に設定することで、評価結果の信頼性の有無を判定するためのしきい値を所望する値に設定することができることに加えて、評価のぶれを許容する範囲を所望するレベルに設定することができる。
【００４８】
そして、上述した１回目の評価結果に基づいて、評価対象物Ａ〜Ｄの香りの嗜好性を評価する場合、信頼度の高い評価値として採用された被験者（Ｐ３、Ｐ４、Ｐ８〜Ｐ１０）による評価値だけを評価対象物Ａ〜Ｄごとに集計し、その平均値を算出する。すなわち、評価対象物Ａの香りの嗜好性は、（４＋６＋６＋５＋４）／５≒５．０となり、評価対象物Ｂの香りの嗜好性は、（４＋６＋４＋５＋４）／５≒４．６となり、評価対象物Ｃの香りの嗜好性は、（５＋５＋４＋３＋４）／５≒４．２となり、評価対象物Ｄの香りの嗜好性は、（４＋７＋５＋６＋４）／５＝５．２となり、評価対象物Ｅの香りの嗜好性は、（４＋６＋６＋５＋４）／５＝５．０となる。
【００４９】
２回目の評価試験においても、同様に、評価対象物Ｅの香りの嗜好性に関する評価値が評価対象物Ａの香りの嗜好性に関する評価値と同じである被験者（Ｐ１〜Ｐ４、Ｐ６、Ｐ７、Ｐ９、Ｐ１０、Ｐ１３、Ｐ１５）によって評価された嗜好性の評価値を採用し、評価対象物Ｅの香りの嗜好性に関する評価値が評価対象物Ａの香りの嗜好性に関する評価値と同じでない被験者（Ｐ５、Ｐ８、Ｐ１１、Ｐ１２、Ｐ１４、Ｐ１６）によって評価された嗜好性の評価値は、当該評価試験により予め設定したＴｔｈの値により、採用／不採用を決める。本実施形態では、Ｔｔｈを０．１に設定したため、被験者Ｐ５、Ｐ８、Ｐ１１、Ｐ１２、Ｐ１４、Ｐ１６による評価は全て不採用とした。
【００５０】
【表２】
2020176897.tif 000004
【００５１】
この場合、評価対象物Ａの香りの嗜好性は、（４＋５＋５＋６＋５＋４＋５＋４＋５＋５）／１０≒４．８となり、評価対象物Ｂの香りの嗜好性は、（３＋３＋５＋６＋５＋４＋５＋４＋３＋４）／１０≒４．２となり、評価対象物Ｃの香りの嗜好性は、（３＋４＋５＋５＋４＋２＋３＋４＋３＋５）／１０≒３．８となり、評価対象物Ｄの香りの嗜好性は、（５＋５＋４＋５＋４＋２＋４＋４＋４＋５）／１０≒４．２となり、評価対象物Ｅの香りの嗜好性は、（４＋５＋５＋６＋５＋４＋５＋４＋５＋５）／１０≒４．８となる。
【００５２】
３回目の評価試験においても、同様に、評価対象物Ｅの香りの嗜好性に関する評価値が評価対象物Ａの香りの嗜好性に関する評価値と同じである被験者（Ｐ１、Ｐ３〜Ｐ５、Ｐ７、Ｐ１０、Ｐ１３、Ｐ１６）によって評価された嗜好性の評価値を採用し、評価対象物Ｅの香りの嗜好性に関する評価値が評価対象物Ａの香りの嗜好性に関する評価値と同じでない被験者（Ｐ２、Ｐ６、Ｐ８、Ｐ９、Ｐ１１、Ｐ１２、Ｐ１４、Ｐ１５）によって評価された嗜好性の評価値は、当該評価試験により予め設定したＴｔｈの値により、採用／不採用を決める。本実施形態では、Ｔｔｈを０．１に設定したため、被験者Ｐ２、Ｐ６、Ｐ８、Ｐ９、Ｐ１１、Ｐ１２、Ｐ１４、Ｐ１５による評価は全て不採用とした。
【００５３】
【表３】
2020176897.tif 000005
【００５４】
この場合、評価対象物Ａの香りの嗜好性は、（４＋５＋６＋５＋４＋４＋５＋５）／８≒４．８となり、評価対象物Ｂの香りの嗜好性は、（３＋４＋５＋４＋４＋４＋３＋４）／８≒３．９となり、評価対象物Ｃの香りの嗜好性は、（４＋５＋５＋４＋４＋４＋４＋４）／８≒４．３となり、評価対象物Ｄの香りの嗜好性は、（５＋４＋６＋５＋３＋４＋３＋４）／８≒４．３となり、評価対象物Ｅの香りの嗜好性は、（４＋５＋６＋５＋４＋４＋５＋５）／８≒４．８となる。
【００５５】
４回目の評価試験においても、同様に、評価対象物Ｅの香りの嗜好性に関する評価値が評価対象物Ａの香りの嗜好性に関する評価値と同じである被験者（Ｐ１、Ｐ３、Ｐ４、Ｐ７、Ｐ９、Ｐ１０、Ｐ１２、Ｐ１３、Ｐ１５）によって評価された嗜好性の評価値を採用し、評価対象物Ｅの香りの嗜好性に関する評価値が評価対象物Ａの香りの嗜好性に関する評価値と同じでない被験者（Ｐ２、Ｐ５、Ｐ６、Ｐ８、Ｐ１１、Ｐ１４、Ｐ１６）によって評価された嗜好性の評価値は、当該評価試験により予め設定したＴｔｈの値により、採用／不採用を決める。本実施形態では、Ｔｔｈを０．１に設定したため、被験者Ｐ２、Ｐ５、Ｐ６、Ｐ８、Ｐ１１、Ｐ１４、Ｐ１６による評価は全て不採用とした。
【００５６】
【表４】
2020176897.tif 000006
【００５７】
この場合、評価対象物Ａの香りの嗜好性は、（３＋５＋６＋４＋５＋４＋６＋５＋５）／９≒４．８となり、評価対象物Ｂの香りの嗜好性は、（５＋４＋６＋３＋３＋３＋６＋２＋２）／９≒３．８となり、評価対象物Ｃの香りの嗜好性は、（３＋５＋６＋４＋３＋４＋６＋４＋５）／９≒４．４となり、評価対象物Ｄの香りの嗜好性は、（５＋４＋６＋３＋４＋４＋５＋３＋５）／９≒４．３となり、評価対象物Ｅの香りの嗜好性は、（３＋５＋６＋４＋５＋４＋６＋５＋５）／９≒４．８となる。
【００５８】
１〜４回の評価試験に基づいてそれぞれ算出した評価対象物Ａ〜Ｅの香りの嗜好性に関する評価値の平均値を表５にまとめて示す。
【００５９】
【表５】
2020176897.tif 000007
【００６０】
本実施形態の評価方法により得られる評価結果は、例えば、表５の形態であってもよいが、１〜４回の評価値を評価対象物ごとに平均して出力してもよい。
【００６１】
以上のように、本実施形態によると、香りの異なる複数の評価対象物を用意して、最初に香りを嗅いだ評価対象物と同じ香りの別の評価対象物の香りを最後に嗅いだとき、香りの評価が同じであった評価結果を、信頼度の高い評価結果として採用するとともに、香りの評価が最初と最後で異なった評価結果をしきい値Ｔｔｈに応じて採用／不採用を決めるようにした。このため、本実施形態によると、従来のように全ての評価データを採用する場合と比較して、信頼性の高い安定した評価結果を得ることができる。
【００６２】
つまり、評価対象物Ｅの香りの嗜好性に関する評価値と評価対象物Ａの香りの嗜好性に関する評価値を代入した上述した不等式が満たされる場合、この評価をした被験者は、評価の信頼度が高い被験者であると判定することができる。この場合、まず、当該被験者が同時に評価した評価対象物Ｂ、Ｃ、Ｄに対する香りの嗜好性に関する評価値も信頼度の高い評価であると判定することができる。また、この場合、評価対象物Ａ自体の評価値も信頼度の高い評価であると判定することができる。
【００６３】
このため、上述したように信頼度の高い評価値だけを集計して代表値（平均値、中央値、最頻値）を算出することで、信頼度の高い香りの評価が可能となる。この結果、最も評価の高い香りを選択することができ、評価の精度も高めることができる。例えば、上述した実施例における評価結果から、評価対象物Ａ（すなわち評価対象物Ｅ）の嗜好性に関する評価結果が最も高いことがわかり、評価対象物Ａを最も嗜好性の高い香りとして選択することができる。
【００６４】
また、上述した実施例のように、同じ評価試験を異なるタイミングで複数回行うことにより、例えば、被験者が空腹のときのデータや満腹のときのデータなどを自由にとることができ、一日のうちの各時間帯における香りの嗜好性の評価傾向なども正確に把握することができる。つまり、本実施形態によると、常に安定した評価結果を得ることができ、商品開発における有効な情報を提供することができる。また、例えば、香りのトップノート、ミドルノート、ラストノートの嗜好性を個別に評価したい場合などには、本実施形態の評価方法が有効である。
【００６５】
本実施形態のように、人の嗜好性を評価する場合、多くの被験者が同じ評価を付ける場合（バランスの悪い評価結果が得られる場合）が想定される。このような場合、信頼性が高い評価値を単に平均した平均値で香りを評価すると、満足な評価結果が得られない可能性がある。これに対し、例えば、複数の評価値の中央値で香りを評価すれば、平均値で評価した場合と比べてより正確な評価が可能となる。また、このような場合、複数の評価値の最頻値で香りを評価すると、多くの被験者が評価した評価結果を把握することができ、さらに正確な評価が期待できる。
【００６６】
以上、具体例をあげて本発明の実施形態について説明したが、本発明は、上述した実施形態に限定されるものではなく、本発明の要旨の範囲内で種々の変形や応用が可能なことは勿論である。
【００６７】
例えば、上述した実施例では、異なる香りの複数の評価対象物Ａ〜Ｅを用意して最初に嗅いだ評価対象物Ａの香りと同じ香りの評価対象物Ｅの香りを最後に嗅いで評価することで、間に挟まれた評価対象物Ｂ、Ｃ、Ｄの香りの評価結果の信頼度を判定するようにした。しかし、上述した実施例のように、評価対象物Ａと評価対象物Ｅの評価の間に残り全ての評価対象物Ｂ、Ｃ、Ｄの評価を必ずしも挟む必要はない。例えば、評価対象物をＡ、Ｂ、Ｃ、Ｅ、Ｄの順に評価して、評価対象物Ｅの香りの評価が評価対象物Ａの香りの評価と同じである場合に、評価対象物Ｂ、Ｃ、Ｄの香りの評価の信頼度が高いものであると判定することもできる。
【００６８】
また、上述した実施形態では、香りの嗜好性と強度を別々に評価する場合について説明したが、これに限らず、香りの強度に関する評価結果を嗜好性の評価に用いることもできる。例えば、評価対象物Ｅの香りの嗜好性に関する評価結果が評価対象物Ａの香りの嗜好性に関する評価結果と同じであり、且つ評価対象物Ｅの香りの強度に関する評価結果が評価対象物Ａの香りの強度に関する評価結果と同じである場合に、評価対象物Ａ、Ｂ、Ｃ、Ｄの香りの嗜好性に関する評価が信頼度の高い評価であるものと判定するようにしてもよい。
【符号の説明】
【００６９】
２…入力部、  ４…記録部、  ６…判定部、  ８…演算部、  １０…評価装置。
【図１】
2020176897.tif 000008
【図２】
2020176897.tif 000009
【図３】
2020176897.tif 000010